(57)【要約】【課題】映像出力装置が映像表示装置から取得する設定情報の情報量を増加させることなく，前記映像出力装置から前記映像表示装置に出力される映像の映像形式種別の選択肢を増加させることのできる映像表示システム及び映像表示装置を提供すること。【解決手段】モニタ装置Ｘ及びパソコンＹを具備してなる映像表示システムＡにおいて，前記モニタ装置Ｘが，該モニタ装置Ｘの表示部１５で表示可能な所定数の映像形式種別を含む当該モニタ装置Ｘの設定情報を記憶するＥＥＰＲＯＭ１６と別に設けられて前記所定数よりも多数の前記映像形式種別を記憶するＲＯＭ１７を具備して構成され，前記ＥＥＰＲＯＭ１６に記憶する前記映像形式種別が，前記ＲＯＭ１７に記憶された多数の前記映像形式種別の中から選択可能である。【選択図】図１
2008107675.tif 000002
【特許請求の範囲】
【請求項１】
入力された映像を表示する映像表示手段及び該映像表示手段で表示可能な所定数の映像形式種別を含む当該映像表示装置の設定情報を記憶する設定情報記憶手段を有する映像表示装置と，前記設定情報記憶手段に記憶された設定情報を取得する設定情報取得手段及び該設定情報取得手段によって取得された設定情報に基づいて前記映像表示装置に出力する映像の映像形式種別を設定する映像形式種別設定手段を有する映像出力装置と，を具備してなる映像表示システムに適用されるものであって，
前記映像表示装置が，
前記設定情報記憶手段と別に設けられ，前記所定数よりも多数の前記映像形式種別を記憶する映像形式種別記憶手段と，前記映像形式種別記憶手段に記憶された前記映像形式種別の中から前記設定情報記憶手段に記憶する前記映像形式種別を選択する映像形式種別選択手段と，を備えてなることを特徴とする映像表示システム。
【請求項２】
前記映像形式種別が，前記映像表示手段で表示可能な走査線数，走査方式及び解像度のいずれか一又は複数を含むものである請求項１に記載の映像表示システム。
【請求項３】
前記設定情報が，ＶＥＳＡ規格のＥＤＩＤである請求項１又は２のいずれかに記載の映像表示システム。
【請求項４】
前記設定情報記憶手段が，書き換え可能なＥＰＲＯＭ又はＥＥＰＲＯＭである請求項１〜３のいずれかに記載の映像表示システム。
【請求項５】
前記映像形式種別記憶手段が，書き換え不能なＲＯＭ又はＰＲＯＭである請求項１〜４のいずれかに記載の映像表示システム。
【請求項６】
前記設定情報記憶手段に記憶する前記映像形式種別の組み合わせを設定する組み合わせ設定手段を更に備えてなり，
前記映像形式種別選択手段が，前記組み合わせ設定手段により設定された組み合わせを選択することにより前記設定情報記憶手段に記憶する前記映像形式種別を選択するものである請求項１〜５のいずれかに記載の映像表示システム。
【請求項７】
入力された映像を表示する映像表示手段と，前記映像表示手段の表示能力に関する所定数の映像形式種別を含む当該映像表示装置の設定情報を記憶する設定情報記憶手段と，を備えてなる映像表示装置であって，
前記設定情報記憶手段と別に設けられ，前記映像表示手段の表示能力に関する前記所定数よりも多数の映像形式種別を記憶する映像形式種別記憶手段と，
前記映像形式種別記憶手段に記憶された前記映像形式種別の中から前記設定情報記憶手段に記憶する映像形式種別を選択する映像形式種別選択手段と，
を備えてなることを特徴とする映像表示装置。
【発明の詳細な説明】
【技術分野】
【０００１】
本発明は，入力された映像を表示する映像表示装置と該映像表示装置に映像を出力する映像出力装置とを具備する映像表示システムに関し，特に，前記映像出力装置が前記映像表示装置から取得した設定情報（例えばＶＥＳＡ規格のＥＤＩＤなど）に基づいて該映像表示装置に映像を出力する映像表示システムに関するものである。
【背景技術】
【０００２】
映像を出力するパーソナルコンピュータ（パソコン）などの映像出力装置から入力された映像を表示する液晶テレビやモニタ装置等の映像表示装置で表示可能な走査線数や走査方式，解像度などの映像形式種別は，該映像表示装置の表示能力によって異なる。そのため，例えば前記映像出力装置が出力可能な映像形式種別で前記映像表示装置に映像が入力されても，その映像が該映像表示装置では正常に表示されない場合がある。特に，前記映像出力装置で出力可能な映像形式種別が多様化しつつある近年では，このような状況が起こりやすくなってきている。
【０００３】
一方，特許文献１には，パソコンが，モニタ部に設けられたＲＯＭから該モニタ部で表示可能な映像形式種別を含む設定情報を読み出し，その設定情報に基づいて前記モニタ部に映像を出力するように構成された映像表示システムが開示されている。このように構成された前記映像表示システムでは，前記パソコンから出力された映像が前記モニタ部で正常に表示される。なお，前記モニタ部のような映像表示装置は，一般に複数の映像形式種別に対応しており，前記ＲＯＭに記憶される設定情報には複数の映像形式種別が含まれる。
【特許文献１】特開２００２−３１８５７１号公報
【発明の開示】
【発明が解決しようとする課題】
【０００４】
しかしながら，前記特許文献１に開示された前記映像表示システムでは，前記設定情報に含まれる映像形式種別が多数になるほど，前記パソコンが前記設定情報を読み取る際に該パソコン及び前記モニタ部間にかかる通信負荷が大きくなり，例えば処理速度が低下するという問題が生じる。
また，前記設定情報に含まれる映像形式種別の数を減らすことで，前記パソコン及び前記モニタ部間の通信負荷を下げることは可能である。しかしながら，この場合には，前記パソコンから前記モニタ部に出力される映像の映像形式種別の選択肢が制限されることとなり，該モニタ部の表示能力を有効に利用することができないという問題が生じる。なお，この問題は，前記設定情報が，ＶＥＳＡ規格でデータサイズが規定されたＥＤＩＤである場合など，該設定情報に多数の映像形式種別を含ませることができない場合にも生じる。
従って，本発明は上記事情に鑑みてなされたものであり，その目的とするところは，映像出力装置が映像表示装置から取得する設定情報の情報量を増加させることなく，前記映像出力装置から前記映像表示装置に出力される映像の映像形式種別の選択肢を増加させることのできる映像表示システム及び映像表示装置を提供することにある。
【課題を解決するための手段】
【０００５】
上記目的を達成するために本発明は，入力された映像を表示する映像表示手段及び該映像表示手段で表示可能な所定数の映像形式種別を含む当該映像表示装置の設定情報を記憶する設定情報記憶手段を有する映像表示装置と，前記設定情報記憶手段に記憶された設定情報を取得する設定情報取得手段及び該設定情報取得手段によって取得された設定情報に基づいて前記映像表示装置に出力する映像の映像形式種別を設定する映像形式種別設定手段を有する映像出力装置と，を具備してなる映像表示システムに適用されるものであって，前記映像表示装置が，前記設定情報記憶手段と別に設けられて前記所定数よりも多数の前記映像形式種別を記憶する映像形式種別記憶手段と，前記映像形式種別記憶手段に記憶された前記映像形式種別の中から前記設定情報記憶手段に記憶する前記映像形式種別を選択する映像形式種別選択手段と，を備えてなることを特徴とする映像表示システムとして構成される。ここに，前記映像形式種別とは，例えば前記映像表示手段で表示可能な走査線数や走査方式，解像度などを含むものである。
本発明によれば，前記設定情報記憶手段に記憶された前記設定情報の情報量を増加させることなく，前記映像出力装置から前記映像表示装置に出力される映像の映像形式種別の選択肢を増加させることができるため，前記映像表示装置の表示能力を有効に利用することが可能となる。
特に，前記設定情報がＶＥＳＡ規格のＥＤＩＤである場合には，該設定情報のデータサイズが規定されるため，そのデータサイズによって前記設定情報に含ませることのできる前記映像形式種別の数が制限される。そのため，前記映像表示装置が，本来は前記制限された数よりも多くの映像形式種別に対応する表示能力を有する場合であっても，該映像表示装置の表示能力を有効に利用することができないという問題が生じる。しかしながら，本発明によれば，前記設定情報記憶手段と別に設けられた前記映像形式種別記憶手段に多数の前記映像形式種別を記憶させておくことで，前記映像表示装置の表示能力を有効に利用することが可能となる。
【０００６】
ところで，前記設定情報記憶手段に記憶された前記映像形式種別は書き換え可能である必要があるため，前記設定情報記憶手段には，例えば書き換え可能なＥＰＲＯＭやＥＥＰＲＯＭなどが用いられる。
一方，前記映像形式種別記憶手段には多数の前記映像形式種別を記憶させておく必要があるため，該映像形式種別記憶手段には大容量の記憶手段を用いる必要があるが，この映像形式種別記憶手段に記憶された映像形式種別は書き換える必要がないため，例えば書き換え不能なＲＯＭやＰＲＯＭなどの安価なものを用いることができる。
【０００７】
また，前記設定情報記憶手段に記憶する前記映像形式種別の組み合わせを一又は複数設定しておき，該設定された組み合わせを選択することにより，前記設定情報記憶手段に記憶する前記映像形式種別を選択する構成が考えられる。これにより，例えば過去に設定された前記映像形式種別の組み合わせを容易に再現することができる。また，ユーザ毎に前記映像形式種別の組み合わせを設定しておけば，ユーザは前記映像出力装置を使用する際に，自己の組み合わせを選択するだけで所望の前記映像形式種別を前記設定情報記憶手段に記憶させることができ操作を簡略化することができる。
【０００８】
なお，本発明は，前記映像表示装置の発明として捉えてもよい。即ち，本発明は，入力された映像を表示する映像表示手段及び該映像表示手段で表示可能な所定数の映像形式種別を含む当該映像表示装置の設定情報を記憶する設定情報記憶手段を有する映像表示装置に適用されるものであって，前記設定情報記憶手段と別に設けられて前記所定数よりも多数の前記映像形式種別を記憶する映像形式種別記憶手段と，前記映像形式種別記憶手段に記憶された前記映像形式種別の中から前記設定情報記憶手段に記憶する前記映像形式種別を選択する映像形式種別選択手段と，を備えてなることを特徴とする映像表示装置として構成される。
このように構成された前記映像表示装置は，前記設定情報記憶手段に記憶された設定情報を取得する設定情報取得手段及び該設定情報取得手段によって取得された設定情報に基づいて前記映像表示装置に出力する映像の映像形式種別を設定する映像形式種別設定手段を有する映像出力装置と接続されて映像表示システムを構成する場合に，前記設定情報記憶手段に記憶された前記設定情報の情報量を増加させることなく，前記映像出力装置から前記映像表示装置に出力される映像の映像形式種別の選択肢を増加させることができるという前述同様の効果を奏する。
【発明の効果】
【０００９】
本発明によれば，前記設定情報記憶手段に記憶された前記設定情報の情報量を増加させることなく，前記映像出力装置から前記映像表示装置に出力される映像の映像形式種別の選択肢を増加させることができるため，前記映像表示装置の表示能力を有効に利用することが可能となる。特に，前記設定情報が，ＶＥＳＡ規格でデータサイズが規定されるＥＤＩＤなどである場合に好適である。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るモニタ装置Ｘ及びパーソナルコンピュータＹを備えた映像表示システムＡの概略構成を示すブロック図，図２は前記モニタ装置Ｘに設けられたＥＥＰＲＯＭ１６に記憶されたＥＤＩＤの内容を説明するための図，図３は前記モニタ装置Ｘに設けられたマイコン１１によって実行される映像形式種別選択処理の手順の一例を説明するためのフローチャートである。
まず，図１のブロック図を用いて，前記映像表示システムＡの概略構成について説明する。
図１に示すように，前記映像表示システムＡは，有線或いは無線により通信可能に接続されたモニタ装置Ｘ（映像表示装置の一例）とパーソナルコンピュータＹ（映像出力装置の一例，以下「パソコンＹ」と略称する）とを備えて構成されている。ここで，前記モニタ装置Ｘと前記パソコンＹとは，例えばＤＤＣ（Ｄｉｓｐｌａｙ  Ｄａｔａ  Ｃｈａｎｎｎｅｌ）規格やＤＶＩ（Ｄｉｇｉｔａｌ  Ｖｉｓｕａｌ  Ｉｎｔｅｒｆａｃｅ）規格などに準拠した通信方式で接続されている。なお，前記モニタ装置Ｘは映像表示装置の一例に過ぎず，入力された映像を表示する液晶表示装置やテレビジョン受像機などの映像表示装置にも適用可能である。また，前記パソコンＹは映像出力装置の一例に過ぎず，前記モニタ装置Ｘなどの外部の映像表示装置に映像を出力するハードディスクレコーダーやＤＶＤレコーダー，デジタルカメラ，デジタルビデオカメラなどの映像出力装置にも適用可能である。
このように構成された前記映像表示システムＡでは，前記パソコンＹから前記モニタ装置Ｘに，予め設定された走査線数や走査方式，解像度などを含む映像形式種別で映像が出力されることにより，該モニタ装置Ｘで前記映像が表示される。例えば，５２５ｉ，５２５ｐ，７５０ｐ，１１２５ｉ，１１２５ｐなどが前記映像形式種別に相当する。なお，前記映像形式種別の５２５ｉは走査線数が５２５本で走査方式がインターレース，５２５ｐは走査線数が５２５本で走査方式がプログレッシブ，７５０ｐは走査線数が７５０本で走査方式がプログレッシブ，１１２５ｉは走査線数が１１２５本で走査方式がインターレース，１１２５ｐは走査線数が１１２５本で走査方式がプログレッシブであることを示している。
【００１１】
前記モニタ装置Ｘは，図１に示すように，ＣＰＵやＲＡＭなどを有してなり当該モニタ装置Ｘを統括的に制御するマイコン１１と，前記マイコン１１に対して操作入力を行うための操作ボタン等を有する操作部１２と，前記パソコンＹから映像信号を受信するためのインターフェースを有するＤＶＩ（Ｄｉｇｉｔａｌ  Ｖｉｓｕａｌ  Ｉｎｔｅｒｆａｃｅ）回路１３と，前記ＤＶＩ回路１３によって受信された映像信号に復号化処理などの各種の映像処理を施して出力する映像処理回路１４と，前記映像処理回路１４から入力された映像信号に基づいて映像を表示する液晶パネル及びその周辺機器等からなる表示部１５（映像表示手段の一例）と，当該モニタ装置Ｘに関する設定情報（図２参照）を記憶する書き換え可能なＥＥＰＲＯＭ１６（設定情報記憶手段の一例）と，前記ＥＥＰＲＯＭ１６と別に設けられて，前記表示部１５で表示可能な映像の映像形式種別の全てを記憶する書き換え不能なＲＯＭ１７（映像形式種別記憶手段の一例）と，を備えて概略構成されている。なお，前記ＲＯＭ１７には，前記ＥＥＰＲＯＭ１６に記憶された設定情報に含まれる映像形式種別の数よりも多数の映像形式種別が記憶されている。また，前記ＥＥＰＲＯＭ１６に換えて，書き換え可能なＥＰＲＯＭを用いることや，前記ＲＯＭ１７に換えて，書き換え不能なＰＲＯＭを用いることも他の実施例として考えられる。
【００１２】
一方，前記パソコンＹは，ＣＰＵやＲＡＭなどを有してなり各種の処理を実行する制御部や，該パソコンＹへの操作入力に用いられるキーボード，各種の情報を記憶するハードディスクなど，通常のパソコンが備える構成要素を具備している。
前記パソコンＹでは，前記制御部によって，前記モニタ装置Ｘに設けられたＥＥＰＲＯＭ１６に記憶された前記設定情報が読み取られ，該設定情報に基づいて前記モニタ装置Ｘに出力する映像の映像形式種別が設定される。ここに，前記設定情報の読み取り処理を実行するときの前記制御部が設定情報取得手段，前記映像形式種別を設定するときの前記制御部が映像形式設定手段に相当する。
【００１３】
ここで，図２を用いて，前記モニタ装置ＸのＥＥＰＲＯＭ１６に記憶された設定情報の内容について説明する。
図２に示すように，前記ＥＥＰＲＯＭ１６は，ＶＥＳＡ規格で規定されたデータサイズが１２８バイト（ｂｙｔｅ）のＥＤＩＤを前記設定情報として記憶する記憶領域を有している。より具体的には，前記ＥＥＰＲＯＭ１６は，前記モニタ装置Ｘのメーカー名や製造年月日などの基本情報を記憶するための規定データ記憶領域１６ａと，ＶＥＳＡで規定された標準の映像形式種別を記憶するための公式タイミング記憶領域１６ｂと，水平及び垂直の各周波数などを変更に用いられる情報を記憶するための基本タイミング記憶領域１６ｃと，前記公式タイミング記憶領域に記憶された標準の映像形式種別以外の四つの映像形式種別を記憶するための詳細タイミング記憶領域１６ｄ〜１６ｇと，伝送エラーのチェックに用いられるチェックサムを記憶するためのチェックサム記憶領域１６ｈとを有している。
前記詳細タイミング記憶領域１６ｄ〜１６ｇ各々には，前記モニタ装置Ｘで表示可能な映像形式種別が記憶される。但し，前記モニタ装置Ｘが多数の映像形式種別に対応していても，前記詳細タイミング記憶領域１６ｄ〜１６ｇに記憶するこのとのできる情報量には制限があるため，該モニタ装置Ｘで表示可能な映像形式種別を全て前記設定情報に含めることはできない。そのため，従来では，前記パソコンＹから前記モニタ装置Ｘへ出力される映像の映像形式種別の選択肢の数が，前記詳細タイミング記憶領域１６ｄ〜１６ｇに記憶可能な情報量によって制限されていた。
【００１４】
しかしながら，本発明の実施の形態に係る前記モニタ装置Ｘでは，前記マイコン１１によって後述する映像形式種別設定処理（図３のフローチャート参照）が実行されることにより，前記ＥＥＰＲＯＭ１６の詳細タイミング記憶領域１６ｄ〜１６ｇに記憶する映像形式種別が，前記ＲＯＭ１７に記憶された多数の映像形式種別の中から選択される。即ち，前記パソコンＹによって前記モニタ装置Ｘから取得される映像形式種別を，該モニタ装置Ｘ側で変更することが可能である。なお，前記モニタ装置Ｘでは，前記マイコン１１によって，前記のように前記詳細タイミング記憶領域１６ｄ〜１６ｇの記憶内容が変更される度に，該詳細タイミング記憶領域１６ｄ〜１６ｇに記憶する映像形式種別の組み合わせが，設定履歴として該マイコン１１に設けられたＲＡＭなどに設定されて記憶される。ここに，かかる組み合わせの設定処理を実行するときの前記マイコン１１が組み合わせ設定手段に相当する。
【００１５】
以下，図３のフローチャートに従って，前記モニタ装置Ｘに設けられた前記マイコン１１によって実行される映像形式種別設定処理の手順の一例について説明する。なお，図３中のＳ１，Ｓ２，…は処理手順（ステップ）の番号を表している。
前記モニタ装置Ｘの電源が投入されると，当該モニタ装置Ｘに関する各種の設定を行うためのメニュー画面の表示要求がユーザによって行われたか否かが，前記マイコン１１によって判断される（ステップＳ１）。具体的には，前記操作部１２に設けられたメニューボタンがユーザによって押下操作されることにより，メニュー画面表示要求信号が前記マイコン１１に入力されたか否かが判断される。
前記ステップＳ１の判断処理は，前記メニュー画面の表示要求がなされるまで繰り返し実行され（Ｓ１のＮｏ側），該表示要求がなされたと判断されると（Ｓ１のＹｅｓ側），処理はステップＳ２に移行する。
ステップＳ２では，前記マイコン１１によってメニュー画面が前記画像処理回路１４を介して前記表示部１５に出力され，該表示部１５にメニュー画面が表示される。
【００１６】
その後，ステップＳ３では，前記メニュー画面に表示された各種の設定項目の中から映像形式種別設定の項目がユーザによって選択されたか否かが前記マイコン１１によって判断される。具体的には，ユーザの前記操作部１２の操作によって入力される操作信号に基づいて，前記映像形式種別設定の項目が選択されたか否かが判断される。
そして，前記ステップＳ３において前記映像形式種別設定の項目が選択されたと判断されると（Ｓ３のＹｅｓ側），処理はステップＳ４に移行する。
【００１７】
次に，ステップＳ４では，過去に当該モニタ装置Ｘにおいて映像形式種別の設定が行われたことを示す前記設定履歴が存在するか否かが前記マイコン１１によって判断される。具体的には，前記設定履歴が前記マイコン１１に設けられたＲＡＭなどに記憶されているか否かが判断される。ここで，前記ステップＳ４において前記設定履歴が存在しないと判断された場合には（Ｓ４のＹｅｓ側），処理はステップＳ５に移行し，存在すると判断された場合には（Ｓ４のＮｏ側），処理はステップＳ４１に移行する。
【００１８】
まず，当該モニタ装置Ｘにおいて初めて当該映像形式種別設定処理が実行された場合など，前記ステップＳ４において前記映像形式種別の設定履歴が存在しないと判断される場合について説明する。
この場合には，ステップＳ５において，前記ＲＯＭ１７に記憶されている当該モニタ装置Ｘで表示可能な全ての映像形式種別が，前記マイコン１１によって読み出される。
そして，ステップＳ６では，前記ステップＳ５で読み出された映像形式種別と，前記詳細タイミング記憶領域１６ｄ〜１６ｇ各々に記憶する映像形式種別を選択するための設定画面とが，前記マイコン１１によって前記表示部１５に出力されて該表示部１５に表示される。
【００１９】
次に，ステップＳ７では，前記マイコン１１によって，ユーザによる前記操作部１２に対する操作入力に基づいて，前記詳細タイミング記憶領域１６ｄ〜１６ｇ各々に記憶する映像形式種別が，前記ＲＯＭ１７から読み出された多数の映像形式種別の中から選択される。ここに，かかる選択処理を実行するときの前記マイコン１１が映像形式種別選択手段に相当する。
その後，ステップＳ８において，前記映像形式種別の選択を終了するか否かが前記マイコン１１によって判断される。具体的には，ユーザによって前記詳細タイミング記憶領域１６ｄ〜１６ｇに記憶する映像形式種別各々が，前記ＲＯＭ１７から読み出された多数の映像形式種別の中から選択されたか否かが判断される。或いは，前記操作部１２に設けられた設定終了ボタンなどが押下操作されたか否かなどによって判断される。ここで，前記ステップＳ８において，前記映像形式種別の選択が終了したと判断されると，処理はステップＳ９に移行する。
【００２０】
そして，ステップＳ９では，前記マイコン１１によって，前記ステップＳ７で選択された映像形式種別が前記詳細タイミング記憶領域１６ｄ〜１６ｇに記憶される。なお，初期設定や過去の設定処理において，前記詳細タイミング記憶領域１６ｄ〜１６ｇに既に映像形式種別が記憶されている場合には，該映像形式種別が更新される。これにより，前記パソコンＹででは，前記設定情報を読み取ることにより，前記映像形式種別設定処理で設定された映像形式種別を取得することができる。
このように，当該モニタ装置Ｘでは，前記ＥＥＰＲＯＭ１６の詳細タイミン記憶領域１６ｄ〜１６ｇに記憶する映像形式種別を，前記ＲＯＭ１７に記憶された多数の映像形式種別の中から選択することが可能である。即ち，前記ＥＥＰＲＯＭ１６に記憶された前記設定情報の情報量を増加させることなく，前記パソコンＹから前記モニタ装置Ｘに出力される映像の映像形式種別の選択肢を増加させることができる。したがって，前記モニタ装置Ｘの表示能力を有効に利用することができる。
【００２１】
他方，前記ステップＳ４において前記設定履歴が存在すると判断された場合について説明する。この場合には，ステップＳ４１において，前記マイコン１１に設けられたＲＡＭ等（不図示）に記憶されている前記設定履歴が，前記マイコン１１によって読み出される。
そして，ステップＳ４２では，前記ステップＳ４１で読み出された設定履歴が表示部１５に出力されて該表示部１５に表示される。このとき，前記設定履歴が複数存在する場合には，その複数の設定履歴が前記表示部１５に表示される。なお，前述したように，前記設定履歴は，前記詳細タイミング記憶領域１６ｄ〜１６ｇ各々に記憶する映像形式種別の組み合わせを示すものである。
【００２２】
次に，ステップＳ４３では，前記詳細タイミング記憶領域１６ｄ〜１６ｇ各々に記憶する映像形式種別の組み合わせを前記設定履歴の中から選択するか否かが前記マイコン１１によって判断される。具体的には，ユーザによる前記操作部１２の操作入力に基づいて判断される。
ここで，前記詳細タイミング記憶領域１６ｄ〜１６ｇ各々に記憶する映像形式種別の組み合わせを前記設定履歴の中から選択する旨の操作入力がユーザによって行われたと判断された場合には（Ｓ４３のＹｅｓ側），処理はステップＳ４４に移行する。なお，前記詳細タイミング記憶領域１６ｄ〜１６ｇ各々に記憶する映像形式種別の組み合わせを前記設定履歴の中から選択しない旨の操作入力がユーザによって行われたと判断された場合には（Ｓ４３のＮｏ側），処理は前記ステップＳ５に移動して，前記詳細タイミング記憶領域１６ｄ〜１６ｇ各々に記憶する映像形式種別を選択するための処理が実行される。
【００２３】
続くステップＳ４４では，前記マイコン１１によって，ユーザによる前記操作部１２に対する操作入力に基づいて，前記設定履歴が選択される。ここでは，前記設定履歴が選択されることにより，前記詳細タイミング記憶領域１６ｄ〜１６ｇ各々に記憶する映像形式種別の組み合わせが選択される。ここに，かかる選択処理を実行するときの前記マイコン１１も映像形式種別選択手段に相当する。
その後，ステップＳ４５において，前記設定履歴の選択を終了するか否かが前記マイコン１１によって判断される。具体的には，ユーザによって前記設定履歴が選択されたか否かが判断される。或いは，前記操作部１２に設けられた設定終了ボタンなどが押下操作されたか否かなどによって判断される。ここで，前記ステップＳ４５において，前記設定履歴の選択が終了したと判断されると，処理はステップＳ９に移行する。
【００２４】
そして，ステップＳ９では，前記マイコン１１によって，前記ステップＳ４４で選択された設定履歴に示された組み合わせで映像形式種別が前記詳細タイミング記憶領域１６ｄ〜１６ｇ各々に記憶される。なお，初期設定や過去の設定処理において，前記詳細タイミング記憶領域１６ｄ〜１６ｇに既に映像形式種別が記憶されている場合には，該映像形式種別が更新される。
このように，前記モニタ装置Ｘでは，該モニタ装置Ｘにおける過去の設定履歴と同様の設定を行う場合には，前記詳細タイミング記憶領域１６ｄ〜１６ｇ各々に記憶する映像形式種別を再度選択するという操作の手間を省くことが可能である。
また，例えば前記モニタ装置Ｘを複数のユーザで共用する場合には，ユーザ毎に，前記詳細タイミング記憶領域１６ｄ〜１６ｇ各々に記憶する映像形式種別の組み合わせを予め設定しておくことで，ユーザは，前記モニタ装置Ｘの使用開始に際して，自己に対応する組み合わせを選択することで容易に前記詳細タイミング記憶領域１６ｄ〜１６ｇ各々に記憶する映像形式を所望の映像形式に設定することができる。
【図面の簡単な説明】
【００２５】
【図１】本発明の実施の形態に係るモニタ装置Ｘ及びパーソナルコンピュータＹを備えた映像表示システムＡの概略構成を示すブロック図。
【図２】本発明の実施の形態に係るモニタ装置Ｘに設けられたＥＥＰＲＯＭ１６に記憶されたＥＤＩＤの内容を説明するための図
【図３】本発明の実施の形態に係るモニタ装置Ｘに設けられたマイコン１１によって実行される映像形式種別選択処理の手順の一例を説明するためのフローチャート。
【符号の説明】
【００２６】
Ａ…映像表示システム
Ｘ…モニタ装置（映像表示装置の一例）
Ｙ…パーソナルコンピュータ（映像出力装置の一例）
１１…マイコン
１２…操作部
１３…ＤＶＩ回路
１４…映像処理回路
１５…表示部（映像表示手段の一例）
１６…ＥＥＰＲＯＭ（設定情報記憶手段の一例）
１７…ＲＯＭ（映像形式種別記憶手段の一例）
Ｓ１，Ｓ２，，，…処理手順（ステップ）番号
【図１】
2008107675.tif 000003
【図２】
2008107675.tif 000004
【図３】
2008107675.tif 000005